(57)【要約】      （修正有）【課題】カウンタテーブル２などの前に傘６や杖を持ち込んだ場合に、傘６や杖を一時的に掛けておくのに便利な傘又は杖用掛け具１を提供する。【解決手段】カウンタテーブル２などの台状物の上面に粘着層１６を介して取り付けられるものであって、ゴム状弾性材料からなる板状をなし、傘６又は杖の握柄６１の鈎状端部６２を掛止可能な、正面側が高くなる段差部１４等の掛止部が形成され、台状物の上面の縁部から突出される正面端部１１に、握柄６１を遊嵌可能な凹部１２及びその両側の相対的な突部１３が形成されている。【選択図】図１
0003115140.tif 000002
【実用新案登録請求の範囲】
【請求項１】
台状物の上面に取り付けられるものであって、板状をなし、傘又は杖の握柄から延びる鈎状端部を掛止可能な掛止部が形成されたことを特徴とする傘又は杖用掛け具。
【請求項２】
掛止部が、正面側が高くなる段差部、窪み部又は穴からなることを特徴とする請求項１に記載の傘又は杖用掛け具。
【請求項３】
台状物の上面の縁部から突出される正面端部に、傘又は杖の握柄を遊嵌可能な凹部及びその両側の相対的な突部が形成されたことを特徴とする請求項１に記載の傘又は杖用掛け具。
【請求項４】
下面に粘着層が設けられたことを特徴とする請求項１に記載の傘又は杖用掛け具。
【請求項５】
ゴム状弾性材料からなることを特徴とする請求項１に記載の傘又は杖用掛け具。
【考案の詳細な説明】
【技術分野】
【０００１】
本考案は、傘あるいは杖を掛けるための簡易な掛け具に関するものである。
【背景技術】
【０００２】
壁面などに取り付けられる傘掛け具としては、従来から、例えば下記の特許文献１に記載されたようなものが知られている。
【特許文献１】実用新案登録第３０１２８４４号
【０００３】
しかし、上記特許文献のような傘掛け具は、例えば銀行など金融機関や郵便局のカウンタテーブルなどに取り付けるには不向きであり、前記カウンタテーブルなどには、一時的に傘や杖を掛けておけるようにするといった工夫は施されていなかった。したがって、例えば金融機関や証券会社、役所、郵便局、駅などサービス窓口のカウンタテーブルや、ＡＴＭ（現金自動預け払い機）などの前に、傘や杖を持って赴いた場合、このような傘や杖の置き場に困ることがあった。
【考案の開示】
【考案が解決しようとする課題】
【０００４】
本考案は、以上のような点に鑑みてなされたものであって、その技術的課題とするところは、カウンタテーブルなどの前に傘や杖を持ち込んだ場合に、傘や杖を一時的に掛けておくのに便利な傘又は杖用掛け具を提供することにある。
【課題を解決するための手段】
【０００５】
上述した技術的課題を有効に解決するための手段として、請求項１の考案に係る傘又は杖用掛け具は、台状物の上面に取り付けられるものであって、板状をなし、傘又は杖の握柄から延びる鈎状端部を掛止可能な掛止部が形成されたものである。この掛け具は、板状であるために邪魔にならず、傘又は杖の握柄から延びる鈎状端部を上面の掛止部に掛けるだけで、傘又は杖を容易に落下しない状態で前記台状物に掛けておくことができる。なお、台状物とは、カウンタテーブル、机、台など、上面が平らで傘や杖を掛けられる程度の高さを有する台を総称するものである。
【０００６】
請求項２の考案に係る傘又は杖用掛け具は、請求項１に記載の構成において、掛止部を、正面側が高くなる段差部、窪み部又は穴からなる簡易な形状としたものである。
【０００７】
請求項３の考案に係る傘又は杖用掛け具は、請求項１に記載の構成において、台状物の上面の縁部から突出される正面端部に、傘又は杖の握柄を遊嵌可能な凹部及びその両側の相対的な突部が形成されたものである。すなわち、傘又は杖の握柄を正面の凹部に遊嵌した状態で、握柄の鈎状端部を掛止部に掛ければ、この鈎状端部を支点とする旋回方向の挙動を、凹部の両側の相対的な突部によって規制することができる。また、この突部には、傘又は杖の吊紐を掛けることもできる。
【０００８】
請求項４の考案に係る傘又は杖用掛け具は、請求項１に記載の構成において、下面に粘着層が設けられたものである。すなわち、この掛け具を台状物の上面に取り付けるには、粘着層によって貼り付けるだけで良い。
【０００９】
請求項５の考案に係る傘又は杖用掛け具は、請求項１に記載の構成において、ゴム状弾性材料からなることを特徴とする。
【考案の効果】
【００１０】
請求項１の考案に係る傘又は杖用掛け具によれば、板状であるために台状物の上で邪魔にならず、一時的に傘又は杖を容易に落下しない状態で掛けておくのに便利である。
【００１１】
請求項２の考案に係る傘又は杖用掛け具によれば、簡易な形状であるため、請求項１による効果に加え、安価に提供することができるといった効果がある。
【００１２】
請求項３の考案に係る傘又は杖用掛け具によれば、請求項１による効果に加え、傘又は杖を一層安定的に掛けることができ、吊紐を有する傘又は杖の場合は、この吊紐を正面端部の相対的な突部に掛けることができる。
【００１３】
請求項４の考案に係る傘又は杖用掛け具によれば、請求項１による効果に加え、台状物の上面に容易に取り付けることができる。
【００１４】
請求項５の考案に係る傘又は杖用掛け具によれば、請求項１による効果に加え、ゴム状弾性材料からなるものであるため緩衝性に優れ、例えば過ってぶつかったりしても、怪我をするようなこともない。また、掛けた傘又は杖の鈎状端部を滑りにくくすることができ、しかも安価に製造することができる。
【考案を実施するための最良の形態】
【００１５】
以下、本考案に係る傘又は杖用掛け具の好ましい実施の形態について、図面を参照しながら説明する。まず図１は、本考案に係る傘又は杖用掛け具の好ましい形態を示す斜視図で、詳しくは（Ａ）は上面側の斜視図、（Ｂ）は下面側の斜視図である。
【００１６】
この図１に示されるように、この実施の形態による掛け具１は、ゴム状弾性材料で長辺が100ｍｍ程度、短辺が70ｍｍ程度の略長方形の板状に成形されたものであって、取付状態において正面側となる長手方向一端部（以下、正面端部という）１１には、切欠凹部１２が形成されており、その両側は相対的に一対の突部１３，１３となっている。なお、切欠凹部１２は請求項３に記載された凹部に相当するものであって、例えば間口が40ｍｍ程度、奥行が15ｍｍに形成されている。また、突部１３，１３の先端部には、切欠凹部１２をはさんで互いに対向する小突起１３ａ，１３ａが形成されている。
【００１７】
掛け具１の上面１ａには、掛止部として、短辺方向に延びる二段の段差部１４が、正面側が高くなるように形成されている。すなわちこの掛け具１は、段差部１４において正面側の肉厚が厚くなっており、正面端部１１の肉厚は、例えば6ｍｍ程度、その反対側の後端部１５の肉厚は、例えば2ｍｍ程度となっている。
【００１８】
なお、図示の形態では、段差部１４は、切欠凹部１２から30ｍｍの位置及び55ｍｍの位置の2箇所に形成されている。これは、図３あるいは図４に示されるように、傘６あるいは杖７を掛けたときに、その鈎状端部６２，７２が引っ掛かるように考慮された位置である。
【００１９】
掛け具１の下面１ｂには、切欠凹部１２より適宜後退した位置から後端部１５にかけて、粘着層１６が設けられており、その表面に、粘着層１６と粘着しないセパレータ（剥離紙ともいう）１７が貼着されている。粘着層１６には、公知の両面粘着テープを用いることができる。
【００２０】
図２は、図１の形態による掛け具１の取付例を示す説明図、図３、図４及び図５は、それぞれ使用例を示す説明図である。すなわち、図１の形態による掛け具１は、例えば図２の（Ａ）に示されるように、金融機関や郵便局などのカウンタテーブル２の上面に、窓口３の正面の一側（例えば右側）に位置して取り付けられ、あるいは図２の（Ｂ）に示されるように、ＡＴＭ（現金自動預け払い機）４の横に設置又は形成された台５の上面に取り付けられる。
【００２１】
カウンタテーブル２あるいは台５の上面に、掛け具１を取り付けるには、まず図１（Ｂ）に示されるセパレータ１７を、掛け具１の下面１ｂの粘着層１６から剥がす。そして、図３又は図４に示されるように、掛け具１の正面端部１１がカウンタテーブル２あるいは台５の正面側の縁部から適宜突出した状態となるように、前記粘着層１６を介して貼り付ければ良い。なお、カウンタテーブル２あるいは台５から切欠凹部１２までの突出長さＬは、2〜3ｃｍ程度とする。
【００２２】
掛け具１をこのように取り付けておけば、図２のようなカウンタテーブル２あるいはＡＴＭ４においてサービスを受けようとする利用者（不図示）が、傘（雨傘あるいは日傘）を持ち込んだ場合は、図３に示されるように、カウンタテーブル２あるいは台５の上面に取り付けられた掛け具１の正面端部１１の切欠凹部１２に、傘６の握柄６１を遊嵌すると共に、この握柄６１から延びる鈎状端部６２を前記掛け具１の上面１ａに支持させることによって、利用者は、必要なサービスを受けている間、一時的に傘６を掛けて保持することができる。また、掛け具１の切欠凹部１２は、カウンタテーブル２あるいは台５の正面側の縁部から長さＬだけ突出した位置にあるため、握柄６１の下側の傘本体（不図示）は、カウンタテーブル２あるいは台５から適宜離れた状態で、安定的に吊支される。
【００２３】
そして、掛け具１はゴム状弾性材料による成形品であるため、鈎状端部６２は掛け具１上で滑りにくく、しかも正面側への不用意な滑りは、段差部１４によって阻止され、掛止される。また、掛け具１に掛けた傘６は、鈎状端部６２で一点支持されるが、握柄６１は切欠凹部１２に遊嵌されるので、掛け具１の上面１ａと鈎状端部６２の接触部を支点とする傘６の旋回方向の不安定挙動は、切欠凹部１２の両側の突部１３によって規制される。しかも正面端部１１の突部１３などに過ってぶつかったりしても、ゴム状弾性材料による良好な緩衝性を有するため、安全である。
【００２４】
利用者が、図４に示されるような握柄７１を有する杖７を使用している場合も同様であって、この杖７は、カウンタテーブル２あるいは台５の上面に取り付けられた掛け具１の正面端部１１の切欠凹部１２に、握柄７１を遊嵌すると共に、鈎状端部７２を前記掛け具１の上面１ａに支持させることによって、利用者は、必要なサービスを受けている間、一時的に杖７を掛けて保持しておくことができる。その場合の作用も、上述と同様である。
【００２５】
更に、利用者が持ち込んだ傘６の握柄６１に、図３のような鈎状端部６２がなく、吊紐が取り付けられているものである場合は、図５に示されるように、このような傘６は、掛け具１の正面端部１１に形成された突部１３に吊紐６３を掛けることによって吊支することができる。
【００２６】
更に、利用者が使用している杖７が、鈎状端部のない長いものである場合は、図５に一点鎖線で示されるように、このような杖７は、その上部を、掛け具１の正面端部１１に形成された切欠凹部１２に遊嵌状態で立て掛けるようにすれば、不用意に倒れることがない状態に保持することができる。
【産業上の利用可能性】
【００２７】
例えば金融機関や郵便局、飲食店などのカウンタテーブルあるいはＡＴＭや自動券売機などの装置の前に傘や杖を持ち込んだ場合に、このようなカウンタテーブルや、前記装置の載置台などに、傘や杖を一時的に掛けておくための手段として利用することができる。
【図面の簡単な説明】
【００２８】
【図１】本考案に係る傘又は杖用掛け具の好ましい実施の形態を示す斜視図である。
【図２】図１の形態の取付例を示す説明図である。
【図３】図１の形態において傘の握柄を掛けた使用例を示す説明図である。
【図４】図１の形態において杖の握柄を掛けた使用例を示す説明図である。
【図５】図１の形態において傘の吊紐を掛けた使用例を示す説明図である。
【符号の説明】
【００２９】
１    掛け具
１ａ    上面
１ｂ    下面
１１    正面端部
１２    切欠凹部（凹部）
１３    突部
１３ａ    小突起
１４    段差部
１５    後端部
１６    粘着層
１７    セパレータ
２    カウンタテーブル（台状物）
５    台（台状物）
６    傘
６１，７１    握柄
６２，７２    鈎状端部
６３    吊紐
７    杖
【図１】
0003115140.tif 000003
【図２】
0003115140.tif 000004
【図３】
0003115140.tif 000005
【図４】
0003115140.tif 000006
【図５】
0003115140.tif 000007